(57)【要約】      （修正有）【課題】小型でポケットなどに収納携帯でき、使用時にはワンタッチで広げて一覧表示、閲覧ができ、不使用時にはワンタッチで折りたため小型化できるカラオケリクエストメモ帳を提供する。【解決手段】１枚の紙片上で縦、横方向に、ミウラ折りを現出する分割線２，３により分割された複数の区画４と、前記分割された各区画に設けられた曲目に関する各項目の記入欄と、前記１枚の紙片を、前記複数の区画に分割した分割線に沿ってミウラ折りにより折りたたんで、一つの区画と略同じ面積を持つ折畳み体を形成する。また、当該折畳み体の最上面及び最下面にそれぞれ設けられ、前記紙片よりも固い材質から成る表紙及び背表紙と、を備えてカラオケリクエストメモ帳とする。【選択図】図１
0003173212.tif 000002
【実用新案登録請求の範囲】
【請求項１】
１枚の紙片上で縦、横方向に、ミウラ折りを現出する分割線により分割された複数の区画と、
前記分割された各区画に設けられた曲目に関する各項目の記入欄と、
前記１枚の紙片を、前記複数の区画に分割した分割線に沿ってミウラ折りにより折りたたんで形成される、一つの区画と略同じ面積を持つ折畳み体と、
当該折畳み体の最上面及び最下面にそれぞれ設けられ、前記紙片よりも固い材質から成る表紙及び背表紙と、
を備えたことを特徴とするカラオケリクエストメモ帳。
【請求項２】
前記表紙及び背表紙の一方又は両方の面積は、折畳み体部分の面積より大きく、且つ表紙又は背表紙の上下辺部、又は左右辺部が折畳み体部分の辺部よりも外にはみ出すような大きさに成形されていることを特徴とする請求項１記載のカラオケリクエストメモ帳。
【考案の詳細な説明】
【技術分野】
【０００１】
本考案は、カラオケリクエストメモ帳、特に小型でポケットなどに収納携帯でき、使用時にはワンタッチで広げて一覧表示、閲覧ができ、不使用時にはワンタッチで折りたため小型化できるカラオケリクエストメモ帳に関するものである。
【背景技術】
【０００２】
従来、カラオケリクエストメモ帳としては、例えば特許文献１に記載されたものがある。このカラオケリクエストメモ帳は、カラオケで、自分が歌いたい曲を探す時、多数収録されているリクエスト本から探す手間と時間を短縮するために、紙片に縦線、横線の罫線を入れて欄を作り、上端部に（１）歌手名、曲名（２）機種名（３）リクエストＮＯ（４）キーコントロール（５）備考の見出しを付け、その下部欄を白紙とし、一度歌った時に記入しておくことにより、次回歌う時に素早く探せる様にするものである（特許文献１参照）。
【先行技術文献】
【特許文献】
【０００３】
【特許文献１】実用新案登録第３０５４１８４号
【考案の概要】
【考案が解決しようとする課題】
【０００４】
しかしながら、上記従来のカラオケリクエストメモ帳は、上述のように、（１）歌手名、曲名（２）機種名（３）リクエストＮＯ（４）キーコントロール（５）備考の見出しが１行に収まるように、縦線、横線の罫線を入れて欄を作った紙片に書き込まれるものであり、紙片自体はノート形式となっているものであるから、メモの一覧性に欠け持ち運ぶのに嵩張るという問題があった。
【０００５】
本考案は、上記従来の欠点を解決するためになされたものであり、その目的は、小型でポケットなどに収納携帯でき、使用時にはワンタッチで広げて一覧表示、閲覧ができ、不使用時にはワンタッチで折りたため小型化できるカラオケリクエストメモ帳を提供することである。
【課題を解決するための手段】
【０００６】
本考案のカラオケリクエストメモ帳は、１枚の紙片を縦、横方向に、ミウラ折りを現出する分割線により複数の区画に分割し、分割された各区画に（１）曲名、（２）歌手名、（３）機種名（４）リクエストＮＯ（５）キーコントロール（６）メモの各項目とその記入欄を設けて、一度歌った時に記入しておくことにより、次回歌う時に素早く探せる様にし、且つ前記１枚の紙片を、前記複数の区画に分割した分割線に沿ってミウラ折りにより折りたたんで一つの区画と略同じ面積を持つ折畳み体とし、当該折畳み体の最上面及び最下面には前記紙片よりも固い材質から成る表紙及び背表紙をそれぞれ設けたことを特徴とするものである。
【０００７】
上記構成により、使用しないときは一つの区画と略同じ面積を持つ折畳み体であるカラオケリクエストメモ帳をポケットなどに入れておき、カラオケで、自分が歌いたい曲や練習したい曲を歌う時、一度歌った時に曲目ごと（すなわち各区画ごと）に上記各項目を記入して一覧表にするとともに、次回に歌う時に折畳み体の表紙及び背表紙を互いに離れる方向へ引っ張るだけで素早く１枚の紙片を広げて各種曲目を一覧表示でき、歌いたい曲が素早く選べるものである。
【考案の効果】
【０００８】
本考案によれば、自分が歌える曲や、練習したい曲を一覧表にしておく事により、次回、歌う時に素早く歌いたい曲を見つける事が出来る。
また、区画に書き込みをして表を作成するとき及び次回に歌うときに、折畳み体の表紙及び背表紙を互いに離れる方向へ引っ張るだけで素早く１枚の紙片を広げて各区画及び各種曲目を一覧表示でき、歌いたい曲が素早く選べる。
【図面の簡単な説明】
【０００９】
【図１】本考案の一実施の形態に係るカラオケリクエストメモ帳の構成を示す展開図である。
【図２】上記実施の形態において区画の１つを拡大して示す図である。
【図３】上記実施の形態において紙片をミウラ折りにより折り畳んで出来た折畳み体を区画の面に対して側方から見た図である。
【図４】上記実施の形態において紙片をミウラ折りにより折り畳んで出来た折畳み体を表紙の斜め上方から見た図である。
【考案を実施するための形態】
【００１０】
以上、本考案の実施例について図面で説明する。図１は本考案の一実施の形態に係るカラオケリクエストメモ帳の構成を示す展開図である。このカラオケリクエストメモ帳１は１枚の紙片により構成される。紙片は、縦、横方向に、ミウラ折りを現出する分割線、すなわち横方向分割線２と縦方向分割線３とにより複数の区画４に分割されている。この実施の形態では横方向分割線２は分割線２ａ、２ｂの２本が設定され、縦方向分割線３は分割線３ａ、３ｂ、３ｃ、・・・３ｎの複数本が設定され、それぞれの分割線２ａ、２ｂ、３ａ、３ｂ、３ｃ、・・・３ｎにより複数の区画４（４ａ、４ｂ、４ｃなどから成る）が設定されている。横方向分割線２及び縦方向分割線３は紙片の一辺から他辺まで（例えば分割線３ａについてみれば、ポイント５からポイント６まで）直線に延びておらず、１つの区画から次の区画へ移る境界点でわずかに方向が交互にずれる直線の線分が連続的につながってできている。しかも直線の線分のずれ方は「交互」であるから、１つの境界点において右にある角度ずれたときは、次の境界点では左に同じ角度だけずれる、という規則性をもって設定されている。さらに上記ずれ量（ずれ角度）は直線に対して数度という小さな角度でよく、種々試行した中では６度±１度の角度が好ましいことが分かった。横方向分割線２同士（すなわち、分割線２ａと２ｂ）及び縦方向分割線３同士（すなわち、分割線３ａ、３ｂ、３ｃ、・・・３ｎ）は上記直線の線分の範囲で互いに平行である。また、横方向分割線２同士及び縦方向分割線３同士の間隔（距離寸法）は全て同じに設定してある。したがって、各区画４ａ、４ｂ、４ｃはすべて等しい平行四辺形で出来ている。
【００１１】
図２は区画４の１つを拡大して示す図である。図２に示されているように、上述のようにして紙片の上に分割された各区画４（或いは４ａ、４ｂ、４ｃなど）には（１）曲名、（２）歌手名、（３）機種名、（４）リクエストＮＯ、（５）キーコントロール、（６）メモの各項目とその記入欄が設けられている。それぞれの項目の記入欄には、一度歌った時に記入しておくことにより一覧表を作成し、次回歌う時に素早く探せる様にできる。
【００１２】
紙片に形成された横方向分割線２及び縦方向分割線３はそのまま折畳み線として使用される。そして、１枚の紙片を、前記複数の区画に分割した分割線２，３に沿ってミウラ折りにより折り畳むと、一つの区画と略同じ面積を持つ折畳み体とすることができる。図３は紙片をミウラ折りにより折り畳んで出来た折畳み体７を区画４の面に対して側方から見た図である。また図４は紙片をミウラ折りにより折り畳んで出来た折畳み体７を表紙の斜め上方から見た図である。これらの図には複数層の折畳み部（エッジ）８が表れている。この図で注目すべき点は、ミウラ折りにより折り畳まれているため、折り目の頂点９が重ならず少しずつずれていることである。これにより折り目の頂点９に負担がかからず折り目が傷みにくいという利点がある。この折り目の頂点９は３つの山折りと１つの谷折りから成り、すべての折り目が連動するから、折畳み動作及び開放動作（展開動作）が１つの動作により可能となる。また、折畳み体７の最上面及び最下面に対応する区画面には紙片よりも固い材質から成る表紙１０及び背表紙１１がそれぞれ設けられている。表紙１０及び背表紙１１にはカラオケリクエストメモ帳の紙片より厚い紙材を使用してもよいし、その他の材質、例えば合成樹脂、木材、布（強化されたもの）などを使用してもよい。また、表紙１０及び背表紙１１の一方又は両方の面積はラオケリクエストメモ帳の紙片を折り畳んでできた折畳み体７部分の面積（１つの区画４の面積にほぼ等しい）より幾分大きく、すなわち、表紙１０又は背表紙１１の上下辺部、又は左右辺部が区画４の辺部よりも外にはみ出すような大きさに成形することが好ましい。これにより、手指の引っ掛かりがよくなり、折畳み体７を展開する操作が行い易くなる。本考案のカラオケリクエストメモ帳を使用しないときは、一覧表である紙片を折り畳んで折畳み体７とする一方、区画４に記帳するとき及び歌う曲目を探すときは折畳み体７の表紙１０及び背表紙１１を互いに離れる方向へ引っ張るだけで素早く１枚の紙片を広げて各種曲目を一覧表示でき、歌いたい曲が素早く選べる。
【産業上の利用可能性】
【００１３】
本考案は、使用しないときは一つの区画と略同じ面積を持つコンパクトな折畳み体であるカラオケリクエストメモ帳をポケットなどに入れておき、カラオケで記帳したいときや、自分が歌いたい曲を探すときに折畳み体の表紙及び背表紙を互いに離れる方向へ引っ張るだけで素早く１枚の紙片を広げて各種曲目を一覧表示でき、迅速な操作ができるという利点がある。
【符号の説明】
【００１４】
１  カラオケリクエストメモ帳
２  横方向分割線
３  縦方向分割線
５、６  ポイント
７  折畳み体
８  折畳み部
９  頂点
１０  表紙
１１  背表紙
【図１】
0003173212.tif 000003
【図２】
0003173212.tif 000004
【図３】
0003173212.tif 000005
【図４】
0003173212.tif 000006